【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
視聴覚オブジェクトの要約を提供するための方法であって、
前記視聴覚オブジェクトから情報を取得するステップであって、該情報は、前記視聴覚オブジェクトの特定および前記視聴覚オブジェクトに関連する前記情報の時間インデックスの決定を可能とする、前記取得するステップと、
前記視聴覚オブジェクトを特定するステップと、
前記取得された情報と、データベース内の前記特定された視聴覚オブジェクトの時間インデックス付きデータとの間の類似度のマッチングの際に、前記視聴覚オブジェクトに関連する、前記取得された情報の前記時間インデックスを決定するステップであって、前記データベースは、前記特定された視聴覚オブジェクトの前記時間インデックス付きデータと、前記特定された視聴覚オブジェクトを要約したあらすじと、を含む、前記決定するステップと、
前記データベースから前記特定された視聴覚オブジェクトのある部分の要約を提供するステップであって、前記部分は、前記特定された視聴覚オブジェクトの先頭と、前記特定された視聴覚オブジェクトに関連する前記情報の前記決定された時間インデックスと、の間に含まれる、提供するステップと、
を含む、前記方法。
【請求項２】
前記データベースは、前記特定された視聴覚オブジェクトの時間インデックス付き画像のデータを含み、
前記取得された情報は、取得時における前記視聴覚オブジェクトの画像データであり、
前記時間インデックスは、前記取得時における前記視聴覚オブジェクトの前記画像データと、前記データベース内の前記特定された視聴覚オブジェクトの前記時間インデックス付き画像のデータとの間の類似性マッチングにおいて決定される、請求項１に記載の方法。
【請求項３】
前記視聴覚オブジェクトの前記画像データの性質および前記特定された視聴覚オブジェクトの前記時間インデックス付き画像のデータの性質はシグネチャの性質である、請求項２に記載の方法。
【請求項４】
前記データベースは、前記特定された視聴覚オブジェクトの時間インデックス付き音声信号のデータを含み、
前記取得された情報は、取得時における前記視聴覚オブジェクトの音声信号のデータであり、
前記時間インデックスは、前記取得時における前記視聴覚オブジェクトの前記音声信号のデータと、前記データベース内の前記特定された視聴覚オブジェクトの前記時間インデックス付き音声信号のデータとの間の類似性マッチングにおいて決定される、請求項１に記載の方法。
【請求項５】
前記視聴覚オブジェクトの前記音声信号の前記データの性質および前記特定された視聴覚オブジェクトの前記時間インデックス付き音声信号のデータの性質はシグネチャの性質である、請求項４に記載の方法。
【請求項６】
前記取得するステップはモバイルデバイスによって実行される、請求項１から５のいずれか１項に記載の方法。
【請求項７】
前記特定するステップ、前記決定するステップおよび前記提供するステップは、専用サーバーによって実行される、請求項１から６のいずれか１項に記載の方法。
【請求項８】
視聴覚オブジェクトの要約を提供するための装置であって、
前記視聴覚オブジェクトから情報を取得するように構成された取得装置であって、該情報は、前記視聴覚オブジェクトの特定および前記視聴覚オブジェクトに関連する情報の時間インデックスの決定を可能とする、前記取得装置と、
時間インデックス付きデータと、前記視聴覚オブジェクトを要約したあらすじと、を含むデータベースと、
を備え、
前記取得装置は、前記視聴覚オブジェクトを特定し、前記取得された情報と、前記データベース内の前記特定された視聴覚オブジェクトの前記時間インデックス付きデータとの間の類似度のマッチングの際に、前記視聴覚オブジェクトに関連する、前記取得された情報の前記時間インデックスを決定し、前記データベースから前記特定された視聴覚オブジェクトのある部分の要約を提供するように構成され、前記部分は、前記特定された視聴覚オブジェクトの先頭と、前記特定された視聴覚オブジェクトに関連する前記情報の前記決定された時間インデックスと、の間に含まれる、前記装置。
【請求項９】
前記取得装置は、モバイルデバイスである、請求項８に記載の装置。
【請求項１０】
前記視聴覚オブジェクトを特定し、前記取得された情報と、前記データベース内の前記特定された視聴覚オブジェクトの前記時間インデックス付きのデータとの間の類似度のマッチングの際に、前記視聴覚オブジェクトに関連する、前記取得された情報の前記時間インデックスを決定し、前記データベースから前記特定された視聴覚オブジェクトのある部分の要約を提供するように構成された専用サーバーをさらに備え、前記部分は、前記特定された視聴覚オブジェクトの先頭と、前記特定された視聴覚オブジェクトに関連する前記情報の前記決定された時間インデックスと、の間に含まれる、請求項８に記載の装置。
【手続補正２】
【補正対象書類名】明細書
【補正対象項目名】００３２
【補正方法】変更
【補正の内容】
【００３２】
特定された視聴覚オブジェクト（すなわち、映画）の一部分の要約を得るために、視聴覚オブジェクト、例えば、画像イメージの情報が取得装置２０２によって取得される。その情報は、次にデータベース２０４に送信され、視聴覚オブジェクトを特定するためにデータベース２０４と比較される。例えば、取得した情報に対応する映画のフレームがデータベース２０４で特定される。特定されたフレームは、取得された情報とデータベース２０４内の同期化されたあらすじとの間のマッチングを行い、したがって取得された情報についてのその映画に対応した時間インデックスを決定することを容易にする。その映画の一部分の同期化された要約は次にユーザーに提供され、その映画の一部分は特定された映画の先頭および当該決定された時間インデックスとの間に含まれる。例えば、要約は、モバイルデバイス上で表示されることによって提供され、ユーザーによって読まれてもよい。選択的に、要約は映画の一部分に登場する登場人物のクラスタリストを含んでもよい。
本発明は以下の態様を含む。
（付記１）
視聴覚オブジェクトの要約を提供する（１０４）ための方法であって、
（ｉ）前記視聴覚オブジェクトから、前記視聴覚オブジェクトの特定および前記視聴覚オブジェクトに関連する時間インデックスの決定を可能とする情報を取得するステップと（１０１）、
（ｉｉ）前記視聴覚オブジェクトを特定するステップと（１０２）、
（ｉｉｉ）前記視聴覚オブジェクトに関連する、前記取得された情報の前記時間インデックスを決定するステップと（１０３）、
（ｉｖ）前記特定された視聴覚オブジェクトのある部分の要約を提供するステップであって、前記部分は、前記特定された視聴覚オブジェクトの先頭と前記決定された時間インデックスとの間に含まれる、提供するステップと、
を含む、前記方法。
（付記２）
前記特定された視聴覚オブジェクトの時間インデックス付き画像のデータを含むデータベース（２０４）が提供され、
前記取得された情報は、取得時における前記視聴覚オブジェクトの画像データであり、
前記時間インデックスは、前記取得時における前記視聴覚オブジェクトの前記画像データと、前記データベース（２０４）内の前記特定された視聴覚オブジェクトの前記時間インデックス付き画像のデータとの間の類似性マッチングに基づいて決定される、付記１に記載の方法。
（付記３）
前記視聴覚オブジェクトの前記画像データの性質および前記特定された視聴覚オブジェクトの前記時間インデックス付き画像のデータの性質はシグネチャの性質である、付記２に記載の方法。
（付記４）
前記特定された視聴覚オブジェクトの時間インデックス付き音声信号のデータを含むデータベース（２０４）が提供され、
前記取得された情報は、取得時における前記視聴覚オブジェクトの音声信号のデータであり、
前記時間インデックスは、前記取得時における前記視聴覚オブジェクトの前記音声信号のデータと、前記データベース（２０４）内の前記特定された視聴覚オブジェクトの前記時間インデックス付き音声信号のデータとの間の類似性マッチングに基づいて決定される、付記１に記載の方法。
（付記５）
前記視聴覚オブジェクトの前記音声信号の前記データの性質および前記特定された視聴覚オブジェクトの前記時間インデックス付き音声信号のデータの性質はシグネチャの性質である、付記４に記載の方法。
（付記６）
前記取得するステップはモバイルデバイス（２０２）によって実行される、付記１ないし５いずれか１項に記載の方法。
（付記７）
前記特定するステップ（１０２）、前記決定するステップ（１０３）および前記提供するステップ（１０４）は、専用サーバー（２０５）によって実行される、付記１ないし６いずれか１項に記載の方法。